(57)【特許請求の範囲】
【請求項１】
ヘルメット着用時における被り心地やヘルメットの安定性を確保するネックパッドを、ヘルメットに対して着脱自在に取付けるネックパッドの取付け構造であって、ヘルメットの最外層を構成する帽体と該帽体内に装着された衝撃吸収ライナーとの間に設けた隙間に、ヘルメットの着脱用開口部の開口方向に抜き挿し自在に挿し込まれる挿し込み板を備えたネックパッドの取付け構造において、
前記取付け構造は、前記挿し込み板を前記隙間内で着脱用開口部の周方向に沿って移動可能とし、該挿し込み板に掛合部を備える一方、前記隙間内に、前記掛合部が前記挿し込み板の抜き取り方向で対向して掛合する掛止部と、前記挿し込み板を前記掛止部側へ付勢する付勢手段と、を備え、
前記掛合部及び／又は前記掛止部は、前記ヘルメットの厚み方向に作用する弾性を有し、前記ネックパッドを取り付ける際の前記隙間内への前記挿し込み板の挿入時には、弾性によって前記掛合部が前記掛止部を乗り越えて、挿入完了時には、前記掛合部が前記掛止部に対して前記挿し込み板の抜き取りを阻止する方向に弾性掛合し、前記挿し込み板の周方向の移動に伴い、前記掛合部が前記掛止部に対して非対向位置に移動して前記掛止部に対する掛合が解除されることにより、前記挿し込み板の抜き取りを可能とし、
前記付勢手段は、前記掛合部と同数、且つ掛合状態の前記掛合部と前記ヘルメットの厚み方向で正対するとともに、該付勢手段の付勢力が前記掛合部に対して作用するように設けられ、該付勢力により、前記挿し込み板の隙間内での厚み方向の移動を抑制するようにしていることを特徴とするネックパッドの取付け構造。
【請求項２】
前記付勢手段は、前記衝撃吸収ライナーに前記掛合部と前記ヘルメットの厚み方向で正対するように設けられた収容凹部に収容されていることを特徴とする請求項１記載のネックパッドの取付け構造。
【発明の詳細な説明】
【技術分野】
【０００１】
本発明は、オートバイ、四輪自動車等各種移動車両、モーターボート、自転車等の船舶又は移動機具に乗る際に頭部及び顔面を保護するために被るヘルメットにおけるネックパッドの取付け構造に関する。
【背景技術】
【０００２】
本発明に関連する先行技術文献情報として、例えば、次の特許文献１がある。
【特許文献１】実開平６−４０２８号公報
【０００３】
特許文献１では、オートバイ、四輪自動車等各種移動車両、モーターボート、自転車等の船舶又は移動機具に乗る際に頭部及び顔面を保護するために被るヘルメットに備えられたネックパッドを着脱自在とする取付け構造について述べられている。
【０００４】
前記ネックパッドの取付け構造では、帽体と衝撃吸収ライナーの間にネックパッドに設けられた鉛直辺部(挿し込み板)が抜き挿し自在に挿し込まれ、挿し込まれた状態において鉛直辺部の掛合部が衝撃吸収ライナーの掛止部に対して掛合することにより、ネックパッドの取付け状態を保持することが開示されている。そしてこの取付け状態では、ネックパッドを帽体から抜き取る方向に引っ張り力が作用すると、掛合部が掛止部に移動して両者の掛合状態がより一層強固なものとなるという作用効果を有していることが開示されている。
【０００５】
又、前記ネックパッドの取付け構造では、ネックパッドの取付けについて、帽体と衝撃吸収ライナーの間に鉛直辺部を挿し込み、掛合部を掛止部に対して乗り越えさせることで掛合させて取付けることが開示されている。又、ネックパッドの取外しについて、ネックパッドの端部(ネックパッドを構成する掛止部材の端部)を外方向へ引っ張ることで、掛止部に対する掛合部の掛合が端部側から中央部に向けて外され、これによりネックパッドが取外されることが開示されている。
【発明の開示】
【発明が解決しようとする課題】
【０００６】
ところで、前記ネックパッドの取り外しは、掛合状態が強固なものとなる引っ張り動作により行うものであるため、掛合部の掛止部に対する掛合が外されるときに、掛合部と掛止部との接触による抵抗、及び掛合部と掛止部の変形による抵抗が生じ、この抵抗によりある程度の引っ張り力を要していた。
【０００７】
本発明は、このような問題に対処することを課題とするものであり、ネックパッドの取付け状態の確実性を確保した上で、該ネックパッドの取り外しをより小さな力で簡単に行うことを目的とする。
【課題を解決するための手段】
【０００８】
前記目的を達成するため、本発明に係るネックパッドの取付け構造は、以下の構成を少なくとも具備する。
【０００９】
すなわち、ヘルメット着用時における被り心地やヘルメットの安定性を確保するネックパッドを、ヘルメットに対して着脱自在に取付けるネックパッドの取付け構造であって、ヘルメットの最外層を構成する帽体と該帽体内に装着された衝撃吸収ライナーとの間に設けた隙間に、ヘルメットの着脱用開口部の開口方向に抜き挿し自在に挿し込まれる挿し込み板を備えたネックパッドの取付け構造において、前記取付け構造は、前記挿し込み板を前記隙間内で着脱用開口部の周方向に沿って移動可能とし、該挿し込み板に掛合部を備える一方、前記隙間内に、前記掛合部が前記挿し込み板の抜き取り方向で対向して掛合する掛止部と、前記挿し込み板を前記掛止部側へ付勢する付勢手段と、を備え、前記掛合部及び／又は前記掛止部は、前記ヘルメットの厚み方向に作用する弾性を有し、前記ネックパッドを取り付ける際の前記隙間内への前記挿し込み板の挿入時には、弾性によって前記掛合部が前記掛止部を乗り越えて、挿入完了時には、前記掛合部が前記掛止部に対して前記挿し込み板の抜き取りを阻止する方向に弾性掛合し、前記挿し込み板の周方向の移動に伴い、前記掛合部が前記掛止部に対して非対向位置に移動して前記掛止部に対する掛合が解除されることにより、前記挿し込み板の抜き取りを可能とし、前記付勢手段は、前記掛合部と同数、且つ掛合状態の前記掛合部と前記ヘルメットの厚み方向で正対するとともに、該付勢手段の付勢力が前記掛合部に対して作用するように設けられ、該付勢力により、前記挿し込み板の隙間内での厚み方向の移動を抑制するようにしていることを特徴とする。
【００１０】
又、前記付勢手段は、前記衝撃吸収ライナーに前記掛合部と前記ヘルメットの厚み方向で正対するように設けられた収容凹部に収容されていることを特徴とする。
【００１１】
本発明でいうヘルメットは、ネックパッドが備えられる構成のものであれば、フルフェース型ヘルメット、又はジェット型ヘルメットのいずれでもよい。
【００１２】
本発明でいうネックパッドは、ヘルメット着用者の首部に接触し、ヘルメットの着脱用開口部の後頭部側から側頭部側に亘る範囲に装着される部材である。又、着用者の頭部に接触する頭部パッド、及び頬部に接触する頬部パッド、並びに顎部に接触する顎部パッド(フルフェース型ヘルメット)等の内装体を構成する各部材とで、ヘルメット着用時における被り心地やヘルメットの安定性等を確保する機能を有する。
【００１３】
内装体は、発泡ウレタン材、もしくは、これと同等の柔軟性を有する素材を用いて、ヘルメットにおける首部、頭部、頬部、顎部に対応する形状に成型されたクッション材を、柔軟性や伸縮性を有するカバー部材で包被してなるものである。
【００１４】
本発明でいう帽体とは、ヘルメットの最外層を構成するものであり、例えば、強化繊維材に(カーボン繊維、ガラス繊維等)に、熱硬化性樹脂材(エポキシ樹脂材、フェノール樹脂材等)を含浸させた強化繊維樹脂材（ＧＦＲＰ、ＣＦＲＰ等）又は、熱可塑性樹脂材（ポリカーボネート等）を用いて、所定の形状（フルフェース型ヘルメット形状、ジェット型ヘルメット形状）に成型したものである。
【００１５】
本発明でいう衝撃吸収ライナーとは、発泡スチロール材、もしくは、これと同等の衝撃吸収性能を有する素材を用いて、帽体の頭部に対応する形状に成型したものであり、帽体の内側に装着されるものである。
【００１６】
本発明でいうヘルメットの着脱用開口部とは、着用者がヘルメットを被ったり脱いだりするための開口部であり、ヘルメットを着用した状態において下方(着用者の肩方向)を向く開口部である。又、着脱用開口部の形態は、フルフェース型ヘルメットにおいては、着用者の首部全周を囲むような楕円状の形態であり、ジェット型ヘルメットにおいては、着用者の後頭部側から側頭部側に亘る範囲を囲むような半円状の形態である。
【発明を実施するための最良の形態】
【００１７】
以下、本発明に係るネックパッドの取付け構造を実施するための最良の形態を図面に基づいて説明する。本形態のネックパッド１の取付け構造は、フルフェース型ヘルメット（以下、「ヘルメット」という）Ａに適用した構成を例示する。又、本形態では、ヘルメットＡの構成を概略的に図示している。
【００１８】
本形態のヘルメットＡは、着用者の顔面を露出させるために開口された前側開口部１１Ａ、及び着用者がヘルメットＡを着脱するために開口された着脱用開口部１２Ａが形成された帽体１Ａと、該帽体１Ａの内側に装着された衝撃吸収ライナー２Ａと、該衝撃吸収ライナー２Ａの内側に装着された頭部パッド及び頬部パッド並びに顎部パッド等(図示せず)から構成される内装体３Ａと、前記着脱用開口部１２Ａの後頭部側から側頭部側に亘る範囲に対応する部位に着脱自在に装着された前記ネックパッド１と、前記前面開口部１１Ａを開閉するシールド４Ａとを備えた周知の構成のフルフェース型ヘルメットである。
【００１９】
尚、以下では、前記前側開口部１１Ａ側を前方といい、前記着脱用開口部１２Ａ側を下方という。
【００２０】
本形態のネックパッド１は、図１乃至図４に示すように、馬蹄形を呈するパッド本体１１と、該パッド本体１１から上下方向に立設した挿し込み板１２とから構成されている。パッド本体１１は、クッション材(図示せず)をカバー部材(図示せず)で包被してなるクッション性を備えたものであり、着用者の首部周りに接触する部材である。挿し込み板１２は、例えば、ポリアミド系樹脂(例えば、ナイロン(デュポン社登録商標))等の合成樹脂材を用いた薄板状のものであり、前記パッド本体１１の全長に亘って立設されて、図３及び図４に示すように、帽体１Ａと衝撃吸収ライナー２Ａとの隙間Ｓに抜き挿し自在に差し込まれるものである。そして、挿し込み板１２と帽体１Ａとに亘って、ネックパッド１の取付け構造が構成されている。
【００２１】
以下、ネックパッド１の取付け構造を説明すると、本形態の取付け構造は、図２乃至図８に示すように、挿し込み板１２に固着された３個の掛合部材２と、帽体１Ａに固着された掛止部材３とから構成され、挿し込み板１２を挿し込むことで掛止部材３に対して掛合部材２が弾性掛合してネックパッド１が取り付けられ、挿し込み板１２が挿し込まれた状態で、該挿し込み板１２を周方向に動かして、掛合部材２を掛止部材３に対して掛合解除することにより、ネックパッド１の取り外しを行う構造である。
【００２２】
掛合部材２は、図２乃至図７に示すように、例えば、ポリアミド系樹脂等の合成樹脂材を用いた弾性を有する薄板状のものであり、ネックパッド１の後側中心部に一個、及び該後側中心部を境としてその両側に夫々一個ずつ固着されている。掛合部材２の掛止部材３と対面する面には掛合部４が形成されている。該掛合部４は、上方を除く三辺に切込みを入れると共に、下方の先端部４１が上方の基端部４２から掛止部材３側に向かうように切起こして形成されている。すなわち、このような構成の掛合部４は、前方へ押される力に対して後方への反発力(付勢力)が作用するため、前方へのつぶれ変形から元の形状に復帰することができる。
【００２３】
掛止部材３は、図３乃至図７に示すように、例えば、ポリアミド系樹脂等の合成樹脂材を用いた帯状の弾性を有する薄板状のものであり、帽体１Ａの内側に対して掛合部材２と対面するように固着されている。掛止部材３の掛合部４と対面する面には、該掛合部４と夫々掛合する３個の掛止部５が掛合部４方向に一体的に突設されている。該掛止部５は、下方の基端部５１から上方へ前記掛合部４方向に向かう傾斜面部５２が形成され、該傾斜面部５２の上端側には、前記掛合部４の先端部４１が上方から接触して掛止する掛止面５３が周方向に平坦として形成されている。
【００２４】
前記構成の掛合部４の掛止部５に対する掛合動作は、ネックパッド１を取り付ける動作において、掛合部４を掛止部５に対して上下方向で対向させた状態で挿し込み板１２を挿し込むと、掛合部４の先端部４１が掛止部５の傾斜面部５２に接触しながら上方へ移動し、この移動に伴って掛合部４が前方へつぶれ変形する。更に、挿し込み板１２を挿し込むと、先端部４１が傾斜面部５２を乗り越え、乗り越えると同時に、掛合部４が反発力の作用でつぶれ変形から元の形状に復帰することにより、先端部４１が掛止部５の掛止面５３に対して上方から対面して掛止された掛合状態となる。すなわち、この構成により、ネックパッド１を持ってヘルメットＡをぶら下げた場合のように、ネックパッド１に対して取り外し方向の引っ張り力が作用したとき、掛合部４には、下方に移動するように力が作用し、この力により掛合部４が掛止部５に対して強固に掛合するため、ネックパッド１がヘルメットＡから外れることはない。
【００２５】
前記衝撃吸収ライナー２Ａには、隙間Ｓに挿し込まれた挿し込み板１２に対して、掛止部５方向に付勢力を与える付勢手段６が装着されている。該付勢手段６は、つぶれ変形から元の形状に復帰する反発力(付勢力)が生じる、弾性発泡ウレタン材やゴム材等の弾性材を用いて形成され、衝撃吸収ライナー２Ａに凹設された収容凹部２１Ａに収容されている。又、付勢手段６は、収容凹部２１Ａの後方開口部２１Ｂから突出させた状態で収容凹部２１Ａ内に接着されている。
【００２６】
前記付勢手段６は、挿し込み板１２が隙間Ｓに挿し込まれると、該挿し込み板１２により付勢手段６がつぶれ変形し、このつぶれ変形と同時に元の形状に復帰する反発力が挿し込み板１２を掛止部５方向へ押付けるように作用する。そして、この反発力で挿し込み板１２を掛止部５方向へ押付けることにより、挿し込み板１２の隙間Ｓ内での前後方向の移動を抑制し、掛合部４の掛止部５に対する掛合状態の保持を確実なものとすることができる。
【００２７】
又、収容凹部２１Ａは、掛合状態の掛合部４と前後方向で正対する位置に形成されており、付勢手段６の前記反発力を掛合部４に対して集中的に作用させることにより、掛合部４の掛止部５に対する掛合状態の保持をより確実なものにしている。
【００２８】
以下、本形態のネックパッド１の取付け構造によるネックパッド１の取り外し動作を、図５〜図８(ａ)及び図８(ｂ)の取り外し工程図に基づいて説明する。尚、取り外し工程図は、掛合部４と掛止部５の掛合解除時の動作を模式的に示す。
【００２９】
ネックパッド１の取り外し動作は、先ず、図５〜図８(ａ)に示すように、パッド本体１１を持って、挿し込まれた挿し込み板１２をヘルメットＡの周方向に沿って動かし、掛合部４の先端部４１を掛止部５の掛止面５３と非対向位置に移動させることにより、掛合部４の掛止部５に対する掛合状態が解除され、挿し込み板１２の隙間Ｓから抜き取りが可能な状態となる。そして、図５及び図８(ｂ)に示すように、パッド本体１１を下方に引き下げて、挿し込み板１２を隙間Ｓから抜き取ることにより、ネックパッド１を取り外すことができる。
【００３０】
すなわち、本形態のネックパッド１の取付け構造は、挿し込み板１２を周方向に動かして、挿し込み板１２を抜き取ることでネックパッド１を取外すことができる。又、掛合部４の掛止部５に対する掛合解除が、掛合部４の先端部４１が掛止部５の掛止面５３上を周方向に移動することで行なわれる。したがって、掛合解除時の抵抗が少なく小さな力でスムーズな掛合解除動作を行うことができる。又、掛止面５３が周方向に平坦であるので、周方向のいずれの方向からでも掛合解除動作を行うことができる。又、掛合部４の掛止部５に対する掛合では、前記したようにネックパッド１に対して引っ張り力が作用すると、掛合部４の掛止部５に対する掛合がより強固になるため、確実な掛合状態を保持することができる。
【００３１】
したがって、本形態のネックパッド１の取付け構造は、ネックパッド１の取付け状態の確実性を確保した上で、該ネックパッド１の取り外しをより小さな力で簡単に行うことができる。
【００３２】
尚、ネックパッド１を正確な位置に取付けるために、該取付け位置を示す目印をネックパッド１と帽体１Ａ、あるいはネックパッド１と衝撃吸収ライナー２Ａとに亘って設けてもよい(図示せず)。又、前記ネックパッド１の取付け構造では、掛止部材３を帽体１Ａに固着した形態で例示しているが、この掛止部材３を衝撃吸収ライナー２Ａに固着した形態としてもよい(図示せず)。又、前記ネックパッド１の取付け構造では、掛合部４が形成された掛合部材２を別部材として挿し込み板１２に固着した形態で例示しているが、前記掛合部４を挿し込み板１２に直接形成した形態としてもよい(図示せず)。又、前記ネックパッド１の取付け構造では、掛合部４が弾性を有し、この弾性により掛止部５に掛止される形態で例示しているが、掛止部５が弾性を有し、この弾性により掛合部４が掛止部５に対して掛止されるようにした形態としてもよい(図示せず)。又、前記ネックパッド１の取付け構造では、付勢手段６を掛合部４と正対する部位に設けた形態で例示しているが、該付勢手段６を挿し込み板１２の全長に亘って、又は、全ての掛合部４を含む一部に設けた形態としてもよい(図示せず)。
【図面の簡単な説明】
【００３３】
【図１】本発明に係るネックパッドの取付け構造を備えたヘルメットの切欠側面図。
【図２】ネックパッドの平面図。
【図３】図１の要部拡大図でネックパッドを取付けた状態を示す。
【図４】ネックパッドを取外した状態の要部拡大図。
【図５】図３の(５)-(５)線断面図であり、展開して示す。
【図６】図３の(６)-(６)線断面図。
【図７】図４の(７)-(７)線断面図であり、展開して示す。
【図８】ネックパッドの取り外し工程図であり、(ａ)は掛合部の掛合状態から挿し込み板を周方向に動かして掛合を解除する状態を示し、(ｂ)は掛合部の掛合を解除して挿し込み板を抜き取る状態を示す。
【符号の説明】
【００３４】
Ａ：ヘルメット
１：ネックパッド
２：掛合部材
３：掛止部材
４：掛合部
５：掛止部
１１：パッド本体
１２：挿し込み板
１２Ａ：着脱用開口部
１Ａ：帽体
２Ａ：衝撃吸収ライナー
Ｓ：隙間
４１：先端部
５２：傾斜面部
５３：掛止面
【図１】
0005232505.tif 000002
【図２】
0005232505.tif 000003
【図３】
0005232505.tif 000004
【図４】
0005232505.tif 000005
【図５】
0005232505.tif 000006
【図６】
0005232505.tif 000007
【図７】
0005232505.tif 000008
【図８】
0005232505.tif 000009